(57)【要約】【課題】簡易かつコンパクトな構成で、タマネギの掘起こしからその茎葉切断処理と選別操作を確実に実施できる根菜収穫機を提供する。【解決手段】根菜収穫機は、圃場走行用の左右の走行部（２）によって支持した機体に、その前端部でタマネギ堀起こし用の鋤部材（３ａ）を先端に備えて昇降可能に掻込部材（３ｂ）と搬送部材（３ｃ）とを上下に配置した掘起部（３）と、この掘起部（３）からタマネギを受けて上位に引上げる汲上部（４）と、その後方でタマネギを受ける選別搬送部（６）とを備えて構成され、上記汲上部（４）と上記選別搬送部（６）との間にタマネギの茎葉を除去する茎葉処理部（５）を設け、その側方に操縦部（７）と原動部（７ａ）とを上下に一体に設け、かつ、同操縦部（７）の前端位置を上記汲上部（４）の側方範囲内に構成することにより、コンパクトな構成でタマネギを茎葉切断して安定収穫可能としたものである。【選択図】図１
2013169179.tif 000002
【特許請求の範囲】
【請求項１】
圃場走行用の左右の走行部（２）によって支持した機体に、その前端部で鋤部材（３ａ）を先端に備えて昇降可能に掻込部材（３ｂ）と搬送部材（３ｃ）とを上下に配置した掘起部（３）と、該掘起部（３）からタマネギを受けて上位に引上げる汲上部（４）と、その後方でタマネギを受ける選別搬送部（６）とを備える根菜収穫機において、
前記汲上部（４）と選別搬送部（６）との間にタマネギの茎葉を除去する茎葉処理部（５）を設け、該茎葉処理部（５）の側方に操縦部（７）と原動部（７ａ）とを上下に一体に設け、かつ、前記操縦部（７）の前端位置を前記汲上部（４）の側方範囲内に構成したことを特徴とする根菜収穫機。
【請求項２】
前記茎葉処理部（５）は、前記汲上部（４）から受けたタマネギの茎葉を巻込んで倒立姿勢で後方に搬送する左右対向の巻込搬送ローラ（５ａ）と、該左右の巻込搬送ローラ（５ａ）の搬送線上で茎葉を搬送切断する上方からの伝動構成による左右配置の回転刃（５ｂ）と、該左右の回転刃（５ｂ）の残葉を巻込み除去する左右対向の残葉巻込ローラ（５ｃ）とをこの順に配置したことを特徴とする請求項１記載の根菜収穫機。
【請求項３】
前記巻込搬送ローラ（５ａ）は、左右それぞれ搬送用の螺旋突条（５ｅ）を形成し、かつ、左右それぞれで前記残葉巻込ローラ（５ｃ）と共通軸線上に構成するとともに、前記両巻込搬送ローラ（５ａ）の間を前記残葉巻込ローラ（５ｃ）の隙間より狭く形成したことを特徴とする請求項２に記載の根菜収穫機。
【請求項４】
前記回転刃（５ｂ）から作物を受けて前記選別搬送部（６）の上方から機体後端に案内する後部シュータ（２２）を後方展開可能に前記選別搬送部（６）の機体後端側に軸支し、該後部シュータ（２２）の側方で且つ前記選別搬送部（６）に臨んでその後側に作業用の補助座席（６ａ）を配置したことを特徴とする請求項２または請求項３に記載の根菜収穫機。
【請求項５】
前記巻込搬送ローラ（５ａ）の両側端に内方に傾斜して誘導搬送する平ベルトコンベアによる誘導搬送部材（２３）を設けたことを特徴とする請求項２から請求項４のいずれかに記載の根菜収穫機。
【請求項６】
前記左右の両走行部（２）は、接地範囲（Ｌ）を前記掘起部（３）の側方に及んで構成し、かつ、前記左右の走行部（２）間に連結パイプ（１１）およびそれぞれの駆動軸を同軸に設けて前記汲上部（４）の背面側に配置すると共に、前記汲上部（４）は、前記掘起部（３）と一体に構成した上で上端部を軸支し、昇降シリンダ（１５）を介して上記連結パイプ（１１）に支持したことを特徴とする請求項１から請求項５のいずれかに記載の根菜収穫機。
【請求項７】
前記掻込部材（３ｂ）は、複数の弾性爪部材を等間隔に横隊配置した掻込羽根（２１）によって構成したことを特徴とする請求項１から請求項６のいずれかに記載の根菜収穫機。
【請求項８】
前記茎葉処理部（５）の下方で受けた落下物を前記操縦部側から前記走行部（２）の外側方に落下案内するダストシュータ（２４）を設け、前記茎葉処理部（５）の下方で受けた落下物を前記操縦部側から前記走行部（２）の外側方に落下案内するダストシュータ（２４）を設け、前記茎葉処理部（５）に近接する位置までを回動範囲として上記ダストシュータ（２４）の上端を軸支し、該回動上端位置で原動部（７ａ）の始動操作を規制可能に構成したことを特徴とする請求項１から請求項７のいずれかに記載の根菜収穫機。
【発明の詳細な説明】
【技術分野】
【０００１】
本発明は、圃場走行用に支持した機体に、掘起部、汲上部、選別搬送部等を備えてタマネギを収穫する根菜収穫機に関するものである。
【背景技術】
【０００２】
特許文献１では、圃場からタマネギ等の根菜作物を掘り起こし、コンテナや収容袋に回収し、あるいは圃場に排出して載置していく根菜収穫機が示されているが、この根菜収穫機は、掘り起こし収穫をしながら茎葉部を切断することができないため、収穫後に茎葉部を取り除く際、作業者が手作業でこの茎葉部を除去する必要があるので、作業者の労力が増大する問題がある。
この問題を解消すべく、収穫した作物の茎葉部等を除去する調製装置もあり、調製装置を使えば作業者の労力が軽減されるが、その分相当な費用がかかることとなる。
【０００３】
特許文献２では、傾斜配置の引抜搬送部によって圃場から作物の茎葉部を挟持して引き抜き、挟持搬送途中で茎葉部を切断して作物を回収するものが示されているが、圃場から作物を引き抜き、茎葉部を切断して回収するためには相応の長さの引抜搬送部が必要となるため、機体の前後長が長くなり、小回りが利きにくく、走行性能が低下する問題がある。また、機体が大型化すると共に、構造が複雑になるため、メンテナンス性が低下する問題がある。
【先行技術文献】
【特許文献】
【０００４】
【特許文献１】特開２０１１−１１５０６８号公報
【特許文献２】特開２００７−０４３９６８号公報
【発明の概要】
【発明が解決しようとする課題】
【０００５】
本発明の目的は、簡易かつコンパクトな構成で、タマネギの掘起こしからその茎葉切断処理と選別操作を確実に実施できる根菜収穫機を提供することにある。
【課題を解決するための手段】
【０００６】
請求項１に係る発明は、圃場走行用の左右の走行部（２）によって支持した機体に、その前端部で鋤部材（３ａ）を先端に備えて昇降可能に掻込部材（３ｂ）と搬送部材（３ｃ）とを上下に配置した掘起部（３）と、該掘起部（３）からタマネギを受けて上位に引上げる汲上部（４）と、その後方でタマネギを受ける選別搬送部（６）とを備える根菜収穫機において、前記汲上部（４）と選別搬送部（６）との間にタマネギの茎葉を除去する茎葉処理部（５）を設け、該茎葉処理部（５）の側方に操縦部（７）と原動部（７ａ）とを上下に一体に設け、かつ、前記操縦部（７）の前端位置を前記汲上部（４）の側方範囲内に構成したことを特徴とする。
【０００７】
請求項２に係る発明は、請求項１に係る発明において、前記茎葉処理部（５）は、前記汲上部（４）から受けたタマネギの茎葉を巻込んで倒立姿勢で後方に搬送する左右対向の巻込搬送ローラ（５ａ）と、該左右の巻込搬送ローラ（５ａ）の搬送線上で茎葉を搬送切断する上方からの伝動構成による左右配置の回転刃（５ｂ）と、該左右の回転刃（５ｂ）の残葉を巻込み除去する左右対向の残葉巻込ローラ（５ｃ）とをこの順に配置したことを特徴とする。
【０００８】
請求項３に係る発明は、請求項２に係る発明において、前記巻込搬送ローラ（５ａ）は、左右それぞれ搬送用の螺旋突条（５ｅ）を形成し、かつ、左右それぞれで前記残葉巻込ローラ（５ｃ）と共通軸線上に構成するとともに、前記両巻込搬送ローラ（５ａ）の間を前記残葉巻込ローラ（５ｃ）の隙間より狭く形成したことを特徴とする。
【０００９】
請求項４に係る発明は、請求項２または請求項３に係る発明において、前記回転刃（５ｂ）から作物を受けて前記選別搬送部（６）の上方から機体後端に案内する後部シュータ（２２）を後方展開可能に前記選別搬送部（６）の機体後端側に軸支し、該後部シュータ（２２）の側方で且つ前記選別搬送部（６）に臨んでその後側に作業用の補助座席（６ａ）を配置したことを特徴とする。
【００１０】
請求項５に係る発明は、請求項２から請求項４のいずれかに係る発明において、前記巻込搬送ローラ（５ａ）の両側端に内方に傾斜して誘導搬送する平ベルトコンベアによる誘導搬送部材（２３）を設けたことを特徴とする。
【００１１】
請求項６に係る発明は、請求項１から請求項５のいずれかに係る発明において、前記左右の両走行部（２）は、接地範囲（Ｌ）を前記掘起部（３）の側方に及んで構成し、かつ、前記左右の走行部（２）間に連結パイプ（１１）およびそれぞれの駆動軸を同軸に設けて前記汲上部（４）の背面側に配置すると共に、前記汲上部（４）は、前記掘起部（３）と一体に構成した上で上端部を軸支し、昇降シリンダ（１５）を介して上記連結パイプ（１１）に支持したことを特徴とする。
【００１２】
請求項７に係る発明は、請求項１から請求項６のいずれかに係る発明において、前記掻込部材（３ｂ）は、複数の弾性爪部材を等間隔に横隊配置した掻込羽根（２１）によって構成したことを特徴とする。
【００１３】
請求項８に係る発明は、請求項１から請求項７のいずれかに係る発明において、前記茎葉処理部（５）の下方で受けた落下物を前記操縦部側から前記走行部（２）の外側方に落下案内するダストシュータ（２４）を設け、前記茎葉処理部（５）に近接する位置までを回動範囲として上記ダストシュータ（２４）の上端を軸支し、該回動上端位置で原動部（７ａ）の始動操作を規制可能に構成したことを特徴とする。
【発明の効果】
【００１４】
請求項１に係る発明により、茎葉処理部（５）の側方に操縦部（７）を設けたことにより、作業者は操縦を行いながら、茎葉処理部（５）でタマネギの茎葉が正常に除去されているかどうかを確認することができるので、確実な茎葉除去によって作業能率が向上する。また操縦部（７）の前端部が汲上部（４）の側方に位置することにより、作業者は掘起部（３）や汲上部（４）を視認しやすい位置に搭乗することができるので、作物の掘起こし搬送状況の確認や、掘り起こし高さの調節が適宜行えるため、作業能率が向上する。
【００１５】
請求項２に係る発明により、請求項１に係る発明の効果に加え、左右配置の回転刃（５ｂ）を上伝動に構成したことにより、切断された茎葉片や作物に付着していた泥土を下方に落下させることができるので、落下物が伝動ケース（５ｄ）に付着して回転刃（５ｂ）の駆動を停止させることが防止されるため、茎葉処理が確実に行われ、作業能率が向上する。
また、巻込搬送ローラ（５ａ）、回転刃（５ｂ）、残葉巻込ローラ（５ｃ）の直下を何も配置しない開放空間として確保できることから、圃場に切断された茎葉片や泥土を落とすことができるので、機体に茎葉片が絡み付いたり泥土が付着したりすることが防止され、機体の掃除に要する労力が軽減される。
【００１６】
請求項３に係る発明により、請求項２に係る発明の効果に加え、巻込搬送ローラ（５ａ）の表面に搬送用の螺旋突条（５ｅ）を設けたことから、後方への強制搬送が可能となるので、巻込搬送ローラ（５ａ）上で作物が滞留することなく速やかに能率的に搬送される。また、汲上部（４）から作物が落下しても作物同士の衝突による損傷が防止されるので、作物の商品価値が向上する。さらに、左右対向の残葉巻込ローラ（５ｃ）同士の間を巻込搬送ローラ（５ａ）間よりも狭くしたことにより、切除された茎葉片や、回転刃（５ｂ）で切り損なった茎葉部を下方に引き込んで圃場に落下させることができるので、切断された茎葉片が選別搬送部（６）に混入することが防止され、選別精度が向上する。
【００１７】
請求項４に係る発明により、請求項２または請求項３に係る発明の効果に加え、後部シュータ（２２）を後方展開可能に設けたことにより、作物を選別搬送部（６）経由で収容容器に回収する作業形態と、作物を圃場面に置いて行く作業形態を切り替えて使用することができるので、作業適用性が向上する。
上記の場合において、後部シュータ（２２）を選別搬送部（６）に回動自在に設けたことにより、非使用時に後部シュータ（２２）が選別搬送部（６）の搬送経路を妨害しなくなるので、作業能率が向上する。
また、後部シュータ（２２）の左右一側で且つ選別搬送部（６）に後側から臨む位置に補助座席（６ａ）を配置したことにより、選別作業者は選別搬送部（６）によって搬送される作物、及び残葉巻込ローラ（５ｃ）から排出されて後部シュータ（２２）を落下する作物の両方の選別作業を行うことができるので、作業形態を変えても選別作業を行えるので、収穫作業後の選別作業に要する時間と労力が軽減される。
【００１８】
請求項５に係る発明により、請求項２から請求項４のいずれかに係る発明の効果に加え、誘導搬送部材（２３）を巻込搬送ローラ（５ａ）の左右両側に設けたことにより、汲上部（４）から受けた作物を確実に巻込搬送ローラ（５ａ）に集中することができるので、茎葉処理部（５）に作物が滞留することが防止され、作業能率が向上するとともに、作物同士の接触で作物が傷付くことが防止される。
上記誘導搬送部材（２３）は、外側部から巻込搬送ローラ（５ａ）に向かって下方傾斜させたことにより、作物が茎葉処理部（５）の外側から落下することを防止できるので、落下した作物を拾う作業が不要となり、作業能率が向上すると共に、作業者の労力が軽減される。
また、誘導搬送部材（２３）の表面は平らであることにより、落下の衝撃を軽減しやすく作物の傷付きを防止できると共に、誘導搬送部材（２３）が作物を後方に搬送することを防止できる。
【００１９】
請求項６に係る発明により、請求項１から請求項５のいずれかに係る発明の効果に加え、左右の走行部（２）の接地範囲（Ｌ）が汲上部（４）の側方に及ぶことから、掘起部（３）が土中抵抗等によってピッチングしようとしても、左右の走行部（２）の接地によりピッチング幅が抑えられるので、掘り起こし深さの変動が抑えられて掘起し精度が安定する。
また、両走行部（２）間の連結パイプ（１１）を汲上部（４）の背面側に配置したことにより、茎葉処理部（５）から落下する茎葉片や泥が当たりにくく、掃除に要する労力が軽減されると共に、汲上部（４）を下降させる際のストッパになるため、下げ過ぎて破損させてしまうことが防止される。
また、汲上部（４）の回動支点（４ａ）を汲上終端側である上端部に設けたことにより、汲上部（４）を昇降回動させても茎葉処理部（５）との距離が一定に維持されるので、作物の引継ぎがスムーズになり、作業能率が向上する。
【００２０】
請求項７に係る発明により、請求項１から請求項６のいずれかに係る発明の効果に加え、複数の爪部材を等間隔に並べた掻込羽根（２１）によって掻込部材（３ｂ）を構成したことにより、作物に付着した泥や雑草等を掻込羽根（２１）の爪部材の隙間から排出しながら作物を掘起部（３）に掻き込むことができるので、泥や雑草が茎葉部の切断や作物の選別作業を妨げることが防止され、作業能率や選別精度が向上する。
また、掻込羽根（２１）の爪部材を弾性材で形成したことにより、作物と接触しても作物を傷つけることが無く、商品価値が向上する。また、石等が掘り起こし部と掻き込み装置の間に挟まっても、爪部材が弾性変形して逃げることができるので、掘起部（３）の搬送部材（３ｃ）や掻込部材（３ｂ）の破損が防止される。
【００２１】
請求項８に係る発明により、請求項１から請求項７のいずれかに係る発明の効果に加え、茎葉処理部（５）の下方にダストシュータ（２４）を設けたことにより、落下する茎葉片や泥が機体の各部に飛散して付着することを防止することができるので、機体の掃除に要する時間と労力が軽減される。
上記ダストシュータ（２４）は茎葉片等を走行部（２）よりも機体外側に落下させるので、作物を機体後方に排出する作業の際に茎葉片や泥が作物の上に落下することがなく、作物の回収が能率よく行える。
上記ダストシュータ（２４）を茎葉処理部（５）に近接する位置に回動させると、その下方に空間が確保されるので、汲上部（４）を含めての作業者によるメンテナンス性が向上する。
また、ダストシュータ（２４）を上方回動させると、エンジンの始動操作が規制されるので、メンテナンス作業中にエンジンを誤って始動させることが無くなり、メンテナンス作業の安全性が確保される。
【図面の簡単な説明】
【００２２】
【図１】根菜収穫機の外観斜視図
【図２】茎葉処理部の拡大平面図
【図３】根菜収穫機の内部構成を示す部分破断斜視図
【図４】別の構成例の根菜収穫機の斜視図
【発明を実施するための形態】
【００２３】
上記技術思想に基づいて具体的に構成された実施の形態について以下に図面を参照しつつ説明する。
本発明の実施の形態として示すタマネギ等の根菜作物を収穫する根菜収穫機１は、図１にその外観斜視図を示すように、圃場走行用の左右のクローラによる走行部２，２によって両側支持した機体に、その前端部の掘起部３と、そのタマネギを仕切板に受けて後ろ上がりに傾斜搬送する仕切コンベア等による汲上部４と、その後方でタマネギの茎葉を除去する茎葉処理部５と、後部配置の選別搬送部６と、茎葉処理部５の側方で上下一体構成の操縦部７および原動部７ａと、その外側部のコンテナデッキ８等を備えて構成される。
【００２４】
詳細には、走行部２，２は、掘起部３に抵抗がかかっても前後方向の機体のピッチングを抑えるために、接地範囲Ｌの前端が掘起部３の側方に及ぶように構成する。
掘起部３は、鋤部材３ａを先端に備えて互いに対向動作する掻込羽根による掻込部材３ｂとベルトコンベヤによる搬送部材３ｃとを上下に配置する。
【００２５】
茎葉処理部５は、図２に要部平面図を示すように、汲上部４から受けたタマネギの茎葉を巻込んで倒立姿勢で後方に搬送する左右対向の巻込搬送ローラ５ａ…によるタッピングユニットと、上伝動の伝動部５ｄによって巻込搬送ローラ５ａ…による搬送線上でそれぞれ茎葉を搬送切断する左右配置の回転刃５ｂ…と、その残葉を巻込み除去する左右対向の残葉巻込ローラ５ｃ…とをこの順に堀起こし幅の範囲に構成し、下方を開放空間として確保する。巻込搬送ローラ５ａ…は、一定速動作の後にＨＳＴ操作による車速連動で駆動する。
【００２６】
巻込搬送ローラ５ａ…は、傷つき防止、合理的な伝動部５ｄのレイアウト、泥落としのために、汲上部４の搬送端の下側に潜り込むように配置する。巻込搬送ローラの表面は、対向配置の左右それぞれに搬送および茎葉引込みのために螺旋突条５ｅ，５ｅを形成する。両巻込搬送ローラ５ａ，５ａの間を離して所定隙間とし、両残葉巻込ローラ５ｃ，５ｃは残葉巻込みのために殆ど間隔を空けずに構成する。また、残葉巻込ローラ５ｃ…はそれぞれ前端側にテーパを形成する。巻込搬送ローラ５ａ…と残葉巻込ローラ５ｃ…は、左右それぞれ共通軸線上で一体に構成し、左右それぞれ巻込搬送ローラ５ａ…の前端側の伝動部５ｆから隣接軸を互いに逆転してチェーン伝動する。
【００２７】
選別搬送部６は、機体の前後長を抑えるために、機体後部を横断搬送する方向にレイアウトし、落下ショックを軽減するように平ベルトコンベアによって構成する。選別搬送部６の搬送下流側に残葉巻込ローラ５ｃ…からオフセットして選別作業用の補助座席６ａを後方から臨む位置に配置する。
【００２８】
操縦部７は、茎葉処理部５の巻込搬送ローラ５ａ…の側方で、片側の走行部２の真上から外側にオフセットして操縦座席７ｂを設け、この操縦座席７ｂの横の巻込搬送ローラ５ａ…やチェーンコンベヤとの間に、操縦座席７ｂ横の構造物を設ける。また、操縦座席７ｂからの視認性を確保するために、操縦部７の前端位置を茎葉処理部５の側方で汲上部４の側方範囲内に構成する。
【００２９】
また、両走行部２，２の間には、図３に内部構成を示す部分破断斜視図を示すように、連結パイプ１１を設けてそれぞれの駆動軸（不図示）を同軸に内設し、駆動軸に伝動する変速伝動部１３および駆動軸両側端のドライブスプロケット１４，１４を高畝対応の高さ位置に構成する。
【００３０】
連結パイプ１１は、汲上部４の後方に配置し、また、汲上部４は、掘起部３と一体に構成した上で搬送終端側のスプロケット付近を回動支点４ａとして軸支し、汲上部４をその背面側から昇降シリンダ１５を介して連結パイプ１１に支持して油圧昇降可能に構成する。昇降シリンダ１５は、汲上部４の幅方向について中央単独または複数分割で支持する。また、連結パイプ１１は、汲上部４を下降させる際のストッパを兼ねる。汲上部４の駆動は、掘起部３の搬送部材３ｃとともに、車速と無関係に一定速で行う。
【００３１】
（別の構成例）
次に、図４にて示す、別の構成例の根菜収穫機の斜視図のように、掘起部３の掻込部材３ｂを複数の硬質ゴム製の爪部材を横隊配置して隙間を形成したタイン状の掻込羽根２１…によって泥抜けが良く、かつ、タマネギを傷付けないように構成する。
【００３２】
茎葉処理部５の巻込搬送ローラ５ａ…は、堀起し条数より少なくし、堀起し幅について足りない部分の両側部に平ベルトコンベヤによる誘導搬送部材２３，２３を設け、この誘導搬送部材２３，２３を外から内へ搬送動作させ、４条掘構成の場合は中央の２条分の巻込搬送ローラ５ａ…によって肩揃えを行う。誘導搬送部材２３，２３は外側端を跳ね上げたＶ字状に構成する。
【００３３】
中央２条分の巻込搬送ローラ５ａ…の両外側条はタイムラグを持たせて千鳥状にタッピングさせる。また、中央２条分の巻込搬送ローラ５ａ…の上側に分配用の三角屋根を設ける。そして、中央の２条分の巻込搬送ローラ５ａ…からタマネギを受けるように、中央の２条分について、回転刃５ｂ…と残葉巻込ローラ５ｃ…を設ける。１条毎の左右配置の回転刃５ｂ…は、片方を駆動し、他方を支持軸を要しない非駆動とすることにより、タマネギの茎葉部を挟み切る際に非駆動側に広い通路を確保することができる。
【００３４】
選別搬送部６の上方には、残葉巻込ローラ５ｃ…から跨ぐようにして機体後方に及ぶ後部シュータ２２をその後端部で選別搬送部６の機体後端側に軸支して後方展開可能に設け、残葉除去したタマネギを機体後端から畝落とし可能に構成する。この後部シュータ２２は、機体後部の後方展開位置に収納することにより、残葉巻込ローラ５ｃ…から選別搬送部６を介して収穫タマネギのコンテナ収容が可能となる。補助座席６ａは、後部シュータ２２の側方にオフセットして配置することにより、後部シュータ２２による畝落としのタマネギについても選別作業が可能となる。
【００３５】
茎葉処理部５の下方には、回転刃５ｂ…および残葉巻込ローラ５ｃ…までをカバー範囲として除去した茎葉片やゴミを全て外側方に排出するダストシュータ２４を設ける。このダストシュータ２４は、操縦部７のある変速伝動部１３側を高く、反対側を低くして機体幅方向に傾斜して構成する。このダストシュータ２４により、変速伝動部１３が無い側の走行部２のクローラ上に茎葉片等を排出することにより、畝上を避けて畝間の溝に落とすことができ、収穫タマネギとゴミの分離が可能となるとともに、巻込搬送ローラ５ａ…の下方からのメンテナンススペースが確保される。
【００３６】
また、変速伝動部１３のメンテナンスの邪魔にならないように、傾斜状態のダストシュータ２４を上方に跳ね上げ可能に構成する。この跳ね上げ操作によってダストシュータ２４が屋根となることから、特に、現場作業の際に機体下における整備性を良好化することができる。そして、ダストシュータ２４の跳ね上げによってエンジン始動を規制し、また、跳ね上げ位置から落下防止のためのダストシュータ２４のロック装置を設ける。
【００３７】
（構成の要点）
上記構成の根菜収穫機について、構成上の要点をまとめると以下のとおりである。
根菜収穫機１は、汲上部４と選別搬送部６との間にタマネギの茎葉を除去する茎葉処理部５を設け、その側方に操縦部７を設けることにより、作業者は操縦を行いながら、タマネギの茎葉が茎葉処理部５で正常に除去されているかどうかを確認することができるので、確実な茎葉除去によって作業能率が向上する。また操縦部７の前端部が汲上部４の側方に位置することから、作業者は掘起部３や汲上部４を視認しやすい位置に搭乗することができるので、作物の掘起こし搬送状況の確認や、掘り起こし高さの調節が適宜行えるため、作業能率を向上することができる。
【００３８】
茎葉処理部５は、巻込搬送ローラ５ａ…と回転刃５ｂ…と残葉巻込ローラ５ｃ…とをこの順に配置し、その回転刃５ｂ…の伝動部５ｄを上伝動に構成したことにより、切断された茎葉片や作物に付着していた泥土を下方に落下させることができるので、落下物が伝動ケース５ｄに付着して回転刃の駆動を停止させることが防止されるため、茎葉処理が確実に行われ、作業能率を向上することができる。
【００３９】
また、巻込搬送ローラ５ａ…、回転刃５ｂ…、残葉巻込ローラ５ｃ…の直下を何も配置しない開放空間として確保できることから、圃場に切断された茎葉片や泥土を落とすことができるので、機体に茎葉片が絡み付いたり泥土が付着したりすることが防止され、機体の掃除に要する労力が軽減される。
【００４０】
巻込搬送ローラ５ａ…は、その表面に搬送用の螺旋突条５ｅ…を設けることによって強制搬送が可能となるので、巻込搬送ローラ５ａ…上で作物が滞留することなく速やかに能率的に搬送される。また、汲上部４から作物が落下しても作物同士の衝突による損傷が防止されて商品価値が向上する。さらに、左右対向の残葉巻込ローラ５ｃ…間を巻込搬送ローラ５ａ…間よりも狭くしたことにより、切除された茎葉片や、回転刃で切り損なった茎葉部を下方に引き込んで圃場に落下させることができるので、切断された茎葉片が選別搬送部６に混入することが防止され、選別精度が向上される。
【００４１】
左右の走行部２，２は、接地範囲Ｌが汲上部４の側方に及ぶことから、掘起部３が土中抵抗等によってピッチングしようとしても、左右の走行部２，２の接地によりピッチングが抑えられるので、掘り起こし深さの変動が抑えられて掘起し精度が安定する。
【００４２】
左右の走行部２，２間の連結パイプ１１は、汲上部４の背面側に配置することにより、茎葉処理部５から落下する茎葉片や泥が当たりにくく、掃除に要する労力が軽減されると共に、汲上部４を下降させる際のストッパになるため、その下げ過ぎによる破損を防止することができる。
また、汲上部４は、その回動支点４ａを汲上終端側である上端部に設けることにより、汲上部４を昇降回動させても茎葉処理部５との距離が一定に維持されるので、作物の引継ぎがスムーズになり、作業能率が向上する。
【００４３】
掘起部３の掻込部材３ｂを複数の爪部材を等間隔に並べたタイン状の掻込羽根２１…を設けて構成することにより、作物に付着した泥や雑草等を爪部材の隙間から排出しながら作物を掘起部３に掻き込むことができるので、泥や雑草が茎葉部の切断や作物の選別作業を妨げることが防止され、作業能率や選別精度が向上する。
【００４４】
弾性材の爪部材によって掻込羽根２１…を形成することにより、作物と接触しても作物を傷つけることが無く、商品価値が向上する。また、石等が搬送部材３ｃと掻込部材の間に挟まっても、掻込羽根２１…の各爪部材が弾性変形して逃げることができるので、搬送部材３ｃや掻込部材３ｂの破損が防止される。
【００４５】
後部シュータ２２を後方展開可能に選別搬送部６の機体後端側に設けたことにより、作物を選別搬送部６経由で収容容器に回収する作業形態と、作物を圃場面に置いて行く作業形態を切り替えて使用することができるので、作業適用性が向上する。非使用時は、後部シュータ２２が選別搬送部６の搬送経路を妨害しなくなるので、作業能率を確保することができる。
【００４６】
補助座席６ａは、後部シュータ２２の左右一側で且つ選別搬送部６に後側から臨む位置に配置したことにより、補助座席６ａの選別作業者が、選別搬送部６によって搬送される作物、及び残葉巻込ローラ５ｃ…から排出されて後部シュータ２２上を落下する作物の両方の選別作業を同様に効率よく行うことができる。
【００４７】
巻込搬送ローラ５ａ…の左右両側には、誘導搬送部材２３，２３を設けることにより、汲上部４から受けた作物を確実に巻込搬送ローラ５ａ…に集中することができるので、茎葉処理部５に作物が滞留することが防止され、作業能率が向上するとともに、作物同士の接触で作物が傷付くことが防止される。
誘導搬送部材２３，２３は、外側部から巻込搬送ローラ５ａ…に向かって低く傾斜させることにより、作物が茎葉処理部５の外側に落下することを防止できるので、落下した作物を拾う作業が不要となり、作業能率が向上すると共に、作業者の労力が軽減される。
誘導搬送部材２３，２３の表面を平らに形成したことにより、落下の衝撃を軽減しやすく作物の傷付きを防止できると共に、誘導搬送部材２３，２３が作物を後方に搬送することを防止できる。
【００４８】
また、茎葉処理部５の下方にダストシュータ２４を設けたことにより、落下する茎葉片や泥が機体の各部に飛散して付着することを防止することができるので、機体の掃除に要する時間と労力が軽減される。
また、ダストシュータ２４は茎葉片等を走行部２，２よりも機体外側に落下させるので、作物を機体後方に排出する作業の際に茎葉片や泥が作物の上に落下することがなく、作物の回収を能率よく行える。
【００４９】
ダストシュータ２４を茎葉処理部５の直下位置に回動させると、その下方に空間が確保されるので、汲上部４を含むメンテナンス性が向上する。
また、ダストシュータ２４の上方回動によってエンジンの始動操作を規制するように構成したことから、その下方におけるメンテナンス作業中にエンジンを誤って始動させることが無くなり、メンテナンス作業の安全性が確保される。
【符号の説明】
【００５０】
１      根菜収穫機
２      走行部
３      掘起部
３ａ    鋤部材
３ｂ    掻込部材
３ｃ    搬送部材
４      汲上部
４ａ    回動支点
５      茎葉処理部
５ａ    巻込搬送ローラ
５ｂ    回転刃
５ｃ    残葉巻込ローラ
５ｄ    伝動部
５ｅ    螺旋突条
６      選別搬送部
６ａ    補助座席
７      操縦部
７ａ    原動部
７ｂ    操縦座席
８      コンテナデッキ
１１    連結パイプ
１３    変速伝動部
１４    ドライブスプロケット
１５    昇降シリンダ
２１    掻込羽根
２２    後部シュータ
２３    誘導搬送部材
２４    ダストシュータ
Ｌ      接地範囲
【図１】
2013169179.tif 000003
【図２】
2013169179.tif 000004
【図３】
2013169179.tif 000005
【図４】
2013169179.tif 000006